(57)【要約】【課題】簡易な構造を付加するだけでプロジェクタの排気風が周囲の人に当たらないようにしたプロジェクタを提供する。【解決手段】プロジェクタ本体４１の側部に設けられた排気口４２を覆うように収納自在に設けられ、排気口４２からの排気をプロジェクタ本体４１の前方に案内する排気ガイド４３を備えたものである。【選択図】図３
2008122441.tif 000002
【特許請求の範囲】
【請求項１】
プロジェクタ本体の側部又は上部に設けられた排気口を覆うようにして収納自在に設けられ、前記排気口からの排気をプロジェクタ本体の前方に案内する排気ガイドを
備えたことを特徴とするプロジェクタ。
【請求項２】
前記排気ガイドの収納又は引き出し状態を検出する排気ガイド検出手段を更に備え、
電源オン時に、前記排気ガイド検出手段が前記排気ガイドの引き出し状態を検出すると、電源供給を開始することを特徴とする請求項１記載のプロジェクタ。
【請求項３】
表示部を更に備え、
映像投射中に、前記排気ガイド検出手段が前記排気ガイドの収納状態を検出すると、前記表示部に警告を表示し、電源供給を停止することを特徴とする請求項２記載のプロジェクタ。
【発明の詳細な説明】
【技術分野】
【０００１】
本発明はプロジェクタに関し、特にプロジェクタ本体からの排気に関する。
【背景技術】
【０００２】
従来、プロジェクタの排気口は、そこから排出される排気風が周囲の人に当たらないように、映像の投射方向と同じ方向に設置されるのが望ましいが、プロジェクタ本体が小型になると、背面や側面に排気口を設置せざる得なく、周囲のユーザーに不快な排気風が当たってしまうという弊害があった。このような弊害を解消するために、例えば「液晶プロジェクタ本体１に備えた排気口２に排気風温度低減装置を覆設し、排気風温度低減装置の排気風取入れ口３から排気口２の排気風をダクト５内に取入れ、外気取入れ口４から新鮮な外部の空気をダクト５内に取入れて混合する。ダクト５内で混合された混合空気はファン６によって外部に排出される…」ようにしたものが提案されている（例えば特許文献１参照）。
【特許文献１】特開平６−６７１４４号公報（特許請求の範囲）
【発明の開示】
【発明が解決しようとする課題】
【０００３】
上記の特許文献１において提案されているものは、プロジェクタの排気を取り込んで前方に放出するようにしたものであるが、プロジェクタに排気風温度低減装置を別途取り付けなければならず、また、その装置のファン自体が新たな騒音源になってしまうという問題点がある。
【０００４】
本発明は、上記のような問題点を解決するためになされたものであり、簡易な構造を付加するだけでプロジェクタの排気風が周囲の人に当たらないようにしたプロジェクタを提供することを目的とする。
【課題を解決するための手段】
【０００５】
本発明に係るプロジェクタは、プロジェクタ本体の側部又は上部に設けられた排気口を覆うように収納自在に設けられ、前記排気口からの排気をプロジェクタ本体の前方に案内する排気ガイドを備えたものである。本発明においては、排気ガイドが排気口からの排気風をプロジェクタ本体の前方に案内するようにしており、これによりプロジェクタ本体内からの排気風が周囲の人に当たらないようにすることができる。また、その構造も簡単なものとなっており、更に、排気ガイドにはファンを備えていないので、新たな騒音源になるおそれがない。なお、本発明において、プロジェクタ本体の前方とは映像の投射方向を示すものであり、且つ、その斜め方向も含まれるものとする。
【０００６】
また、本発明に係るプロジェクタは、前記排気ガイドの収納又は引き出し状態を検出する排気ガイド検出手段を更に備え、電源オン時に、前記排気ガイド検出手段が前記排気ガイドの引き出し状態を検出すると、電源供給を開始する。本発明においては、例えば、電源オンのための操作信号を入力したときに、排気ガイドが引き出し状態になっていると、電源を供給して映像の投射をさせるが、仮に、排気ガイドが引き出し状態になっていないと（排気ガイドが収納されていると）、電源供給をしないようにしている。このようにすることで、排気ガイドが収納された状態で映像の投射がされないようにし、映像の投射に際して発生する熱がプロジェクタ本体内にこもらないようにしている。
【０００７】
また、本発明に係るプロジェクタは、表示部を更に備え、映像投射中に、前記排気ガイド検出手段が前記排気ガイドの収納状態を検出すると、前記表示部に警告を表示し、電源供給を停止する。本発明においては、映像が投射されているときに、排気ガイドが収納状態になると、表示部に警告を表示させるとともに、電源供給を停止するようにしており、このようにすることで、排気ガイドを収納したことに対して警告を発するとともに、映像の投射の停止することによりプロジェクタ本体内に映像の投射の際に発生する熱がそれ以上発生しないようにしており、また、警告を発することで映像の投射の停止がプロジェクタの故障ではないことをユーザーに知らせることができる。
【発明を実施するための最良の形態】
【０００８】
図１は、本発明の実施形態１に係るプロジェクタの構成を示すブロック図である。プロジェクタ１は、光源１１と、光源１１から射出した光を変調する空間光変調装置としての３枚の液晶ライトバルブ１２Ｒ，１２Ｇ，１２Ｂ（これらを総称するときは、液晶ライトバルブ１２という）と、液晶ライトバルブ１２から射出する変調光をスクリーン（それに相当するもの含む）ＳＣに拡大投写する投射光学系１３と、液晶ライトバルブ１２を駆動する液晶ライトバルブ駆動部１４とを備えている。液晶ライトバルブ１２には、複数の画素（図示せず）がマトリクス状に形成されており、液晶ライトバルブ駆動部１４が、外部の映像信号供給装置ＰＣから供給される映像信号に基づいて各画素の透過率を調整することにより映像信号に応じた映像を描画しそれによる変調光をスクリーンＳＣに表示させる。また、投射光学系１３には、投射光の焦点を変更可能なフォーカス機構、投射光の拡大率を変更可能なズーム機構等が備えられている（何れも図示を省略）。なお、液晶ライトバルブ１２は、上記のように、３枚の液晶ライトバルブ１２Ｒ，１２Ｇ，１２Ｂから構成され、Ｒ（赤）、Ｇ（緑），Ｂ（青）の各色光を変調する。光源１１から射出した光は、図示しない色光分離光学系によって各色光に分離された後、対応する液晶ライトバルブ１２Ｒ，１２Ｇ，１２Ｂによって変調され、合成光学系（図示せず。例えばクロスダイクロックプリズム）により合成された後に、投射光学系１３により拡大投写される。
【０００９】
プロジェクタ１は、更に、プロジェクタ１の動作を統括制御する制御部２０、制御部２０に接続された記憶部２１、操作信号処理部２２、映像入力部２３、映像信号処理部２４、台形歪み補正処理部２５、フォーカス制御部２６及びズーム制御部２７を備えている。操作信号処理部２２には操作パネル２８が接続されており、操作信号処理部２２は、プロジェクタ１の状態変更等を行うための各種スイッチ類（例えば電源オンキー、電源オフキー、台形補正キー等）からなる操作パネル２８やリモコンＲＣから、ユーザによる操作内容に応じた操作信号を受信し、これを制御部２０に出力する。また、この操作パネル２８にはＬＤＥ等からなる表示部２８ａが設けられており、制御部２０からの制御信号によって点灯し（警告表示）、ユーザーに対して警告を発する（詳細は後述する）。制御部２０は、例えばマイクロプロセッサ等の信号処理回路により構成され、内蔵する記憶部（図示せず）又は記憶部２１に格納された制御プログラムを実行するものであり、例えば操作信号処理部２２からの操作信号に基づいて、映像信号処理部２４、台形歪み補正処理部２５、フォーカス制御部２６及びズーム制御部２７をそれぞれ制御する。また、制御部２０に接続された記憶部２１には、上記の制御プログラムを記憶するとともに、プロジェクタ１の各種設定値等（例えばメニュー映像データ）が記憶される。
【００１０】
映像入力部２３は、外部の映像信号供給装置ＰＣからの映像信号を取り込んで、それが例えばアナログの映像信号の場合にはデジタルの映像信号に変換する等、入力映像信号に対応した各種信号処理を施して映像信号処理部２４に出力する。映像信号処理部２４は、例えばマイクロプロセッサ（例えばＤＳＰ）等の信号処理回路から構成され、それに内蔵された記憶部に格納された制御プログラムを実行することにより各種の処理をする。また、映像信号処理部２４にはフレームメモリ２９が接続されており、映像入力部２３からの映像信号を１フレーム（１映像画面）毎にフレームメモリ２９に記憶させるとともに、フレームメモリ２９に記憶された映像（以下、フレーム映像ともいう）を読み出す機能を有し、また、映像信号の解像度を液晶ライトバルブ１２の解像度に合わせる解像度変換処理等の各種の信号処理を施す。また、この映像信号処理部２４はＯＳＤ処理部をする機能を備えており、制御部２０の制御命令に従って、プロジェクタ１の各種状態を表す文字や記号、画質調整を行う際のメニュー映像のＯＳＤ映像信号をフレーム映像信号と合成する処理を行う。具体的には、制御部２０が例えば記憶部２１からメニュー映像データ等を読み出して映像信号処理部２４に供給し、映像信号処理部２４はそのメニュー映像データによりＯＳＤ映像信号を生成し、このＯＳＤ映像信号をフレーム映像信号と合成する。ＯＳＤ処理をしない場合には、フレーム映像信号がそのまま出力されることになる。上記のＯＳＤ処理によりメニュー画像が表示されると、ユーザーはメニュー画像に従ってプロジェクタ１の各部の機能を設定又は調整することになる。なお、上記の光源１１、液晶ライトバルブ１２、投射光学系１３及び液晶ライトバルブ駆動部１４は、本発明の映像投射部を構成している。また、操作パネル２８の表示部２８ａは本発明の表示部を構成している。
【００１１】
台形歪み補正処理部２５は、スクリーンＳＣに対してプロジェクタ１を傾けた状態で投写（あおり投写）した場合に生じる台形歪を抑制するために、入力される映像信号の補正を行い、補正した映像信号を液晶ライトバルブ駆動部１４に出力する。なお、台形歪が生じていない場合には、前記の補正を行わず、映像信号処理部２４から出力される映像信号がそのまま液晶ライトバルブ駆動部１４に供給され、液晶ライトバルブ駆動部１４は、入力される映像信号に従って液晶ライトバルブ１２を駆動する。ところで、本実施形態においては台形歪み補正が手動によってなされるが、それは次にようにしてなされる。例えばユーザーがリモコンＲＣを操作し、台形補正の操作信号を操作信号処理部２２が入力すると、制御部２０はその操作信号を取り込んで台形歪み補正処理部２５に台形補正処理の制御命令を出力し、台形歪み補正処理部２５は、その制御命令に基づいて映像信号処理部２４からの映像信号に台形補正（キーストン補正）処理を施し、スクリーンＳＣ上に表示される映像の台形歪みを補正する。
【００１２】
フォーカス制御部２６は、制御部２０からの指示に従って投射光学系１３のフォーカス機構を駆動する。具体的には、投射光学系１３を構成するフォーカスレンズを光軸方向に移動させることにより、フォーカス状態を調整することが可能になっている。また、フォーカス制御部２６は、フォーカスの調整量、即ちフォーカスレンズの移動量（フォーカス量）を検知することも可能になっており、検知したフォーカス量を制御部２０に出力することができる。フォーカス量を検知する方法としては、フォーカスレンズを光軸方向に移動させるための回転カム機構（図示せず）の回転量を検出するロータリエンコーダやポテンショメータ等の検知機構を用いることができる。或いは、フォーカス機構の駆動源であるステッピングモータのステップ数に基づいてフォーカス量を検知するようにしてもよい。
【００１３】
ズーム制御部２７は、制御部２０からの指示に従って投射光学系１３のズーム機構を駆動する。具体的には、投射光学系１３を構成するズームレンズを光軸方向に移動させて焦点距離を変更することにより、スクリーンＳＣに表示される映像の拡大率を変更することが可能になっている。また、ズーム制御部２７は、焦点距離、即ちズームレンズの移動量（ズーム量）を検知するズーム量検知部としても機能し、検知されたズーム量を制御部２０に出力することができる。ズーム量を検知する方法としては、フォーカス量を検知する方法と同様、ズームレンズを光軸方向に移動させるための回転カム機構（図示せず）の回転量を検出するロータリエンコーダやポテンショメータ等の検知機構によって検知してもよいし、ズーム機構の駆動源であるステッピングモータのステップ数に基づいて検知するようにしてもよい。
【００１４】
また、プロジェクタ１は、光源１１を点灯制御するためのランプ駆動部３１、ファン駆動部３２、ファン３３、３４及び電源回路３５を備えている。ファン３３は主として光源１１を冷却するものであり、光源１１が点灯しているときや、消灯してクーリングするときに駆動される。ファン３４は排気ファンとして機能するものであり、プロジェクタ１の各部で発生する熱を外部に排出する。また、電源回路３５は例えばプロジェクタ１を商用電源に接続すると、各種回路に電圧Ｖ１を出力し、ランプ駆動部３１及びファン駆動部３２以外の各回路に駆動電圧として供給する。また、電源回路３５は、制御部２０からの制御信号に基づいて電圧Ｖ２，Ｖ３をランプ駆動部３１及びファン駆動部３２にそれぞれ駆動電圧として供給する。
【００１５】
また、プロジェクタ１は、排気ガイド（図２参照）が収納状態にあるか又は引き出された状態にあるかを検出する排気ガイド検出手段３６を備えており、それは例えばリミットスイッチ等から構成され、その出力は制御部２０に出力される。
【００１６】
図２（Ａ）（Ｂ）は、プロジェクタ本体の平面図であり、図３はプロジェクタ本体の斜視図である。プロジェクタ本体４１は、図１の回路を収納した筐体であり、その底部には吸気口（図示せず）が設けられており、その一方の側面には、複数のスリット孔４２ａからなる排気口４２が形成されているとともに、排気ガイド４３の上面部４３ａ及び下面部４３ｂを収納するためのスリット４４ａ，４４ｂが形成されている。このプロジェクタ本体１内には、排気口４２に近接した位置にファン３４が取り付けられており、このファン３４の回転駆動によりプロジェクタ本体１内の空気が排気口４２を介して排気されるように構成されている。排気ガイド４３は、その一端がプロジェクタ本体４１に回転自在に支持されており、その上面部４３ａ及び下面部４３ｂはほぼ３角形をなしており、側面部４３ｃが上面部４３ａと下面部４３ｂとを繋いでいる。プロジェクタ本体４１の電源が投入されていないときには（上記の電圧Ｖ２，Ｖ３が出力されていない状態）、図２（Ａ）に示されるように、排気ガイド４３の上面部４３ａ及び下面部４３ｂはプロジェクタ本体４１のスリット４４ａ，４４ｂに収納されており、側面部４３ｃが排気口４２を覆っている状態になっている。また、ユーザーが電源オンキーを操作し、プロジェクタ１に電源を投入して映像を投射する際には（上記の電圧Ｖ２，Ｖ３が出力されている状態）、図２（Ｂ）及び図３に示されるように、排気ガイド４３の一端を軸にして回動させて排気ガイド４３を引き出しておいて、ファン３４を回転駆動することにより生成される排気風が、排気口４２介してプロジェクタ本体１の前方に流れるようにする。なお、本実施形態１においては、排気ガイド４３が引き出されている状態にあるか否かによって、制御部２０により制御が異なるので、電源オンキーが操作されたときの制御、及び映像投射中に排気ガイド４３が引き出されたときの制御を、図４及び図５のフローチャートに基づいて説明する。
【００１７】
図４はユーザーがリモコンＲＣの電源オンキーを操作したときの処理を示すフローチャートである。
リモコンＲＣの電源オンキーが操作されると、操作信号処理部２２はその操作信号を受信すると制御部２０に出力する。制御部２０はその操作信号に基づいて電源オンキーの操作を検出する（Ｓ１１）。制御部２０は、その電源オンキーの操作を検出すると、次に、排気ガイド４３が既に引き出されているかどうかを判定する（Ｓ１２）。制御部２０は、この判定に際しては、排気ガイド検出手段３６の出力に基づいて行う。制御部２０が排気ガイド４３が既に引き出されているという判定をした場合には、電源回路３５に電圧Ｖ２、Ｖ３を出力させて本体電源をオンし、ランプ駆動部３１により光源１１を点灯させるとともに、ファン駆動部３２によりファン３３，３４を駆動させ、その状態で映像の投射を開始する（Ｓ１３）。ここで、映像入力部２３が、映像供給装置ＰＣから映像信号を入力すると、入力映像信号に対応した各種信号処理を施して映像信号処理部２４に出力し、映像信号処理部２４は映像入力部２３からの映像信号を表示用の映像信号にするための各種の処理をして台形歪み補正処理部２５に出力する。台形歪み補正処理部２５は、映像信号の台形補正を行い、補正された映像信号を液晶ライトバルブ駆動部１４に出力し、液晶ライトバルブ駆動部１４は、入力された映像信号に従って液晶ライトバルブ１２を駆動して各画素の透過率を調整することにより映像信号に応じた映像を描画しそれによる変調光を投射光学系１３によりスクリーンＳＣに投射させることにより入力映像信号に対応した映像を表示させる。また、上記の判定（Ｓ１２）において、排気ガイド４３が引き出されていないという判定をした場合（排気ガイド４３が収納されている場合）には、電源オンキーの操作を検出したとしても、本体電源をオンせずにそのまま終了する。このように、排気ガイド４３が引き出されていない場合には、プロジェクタ本体１内の熱が外部に排出されなくなるので、電源オンキーの操作を検出したとしてもその操作を実質的に無効なものとして処理する。
【００１８】
なお、上記の説明においては、排気ガイド４３が引き出されていない場合（Ｓ１２）には電源オンキーの操作を無効なものとして処理するものとして説明したが、その判定（Ｓ１２）の後、所定時間内に、排気ガイド４３が引き出された場合には本体電源をオンして投射を開始させる（Ｓ１３）ようにしてもよい。
【００１９】
図５は上記の映像の投射中に排気ガイド４３が収納されたときの処理を示すフローチャートである。上記の映像の投射中にユーザーが排気ガイド４３を誤ってプロジェクタ本体４１内に収納すると、制御部２０は排気ガイド検出手段３６の出力に基づいて排気ガイド４３が収納されたことを検出する（Ｓ２１）。制御部２０は、排気ガイド４３が収納されたことを検出すると、操作信号処理部２２を介して操作パネル２８の表示部２８ａを例えば点滅表示させることにより警告表示させる（Ｓ２２）。そして、電源回路３５の電圧Ｖ２、Ｖ３を出力を停止させて、光源１１を消灯させる等の処理をすることにより電源オフ処理をする（Ｓ２２）。このように、映像の投射中に排気ガイド４３が収納されたときには、プロジェクタ本体１内の熱が外部に排出されなくなるので、電源オフ処理をすることによりプロジェクタ本体内に熱が更に発生しないようにしている。
【００２０】
なお、上記の説明においては、警告表示をした後に直ちに電源オフ処理をする例について説明したが、警告表示をした後に、所定時間内（短時間ではあるが）に排気ガイド４３が収納された場合には電源オフ処理をしないでそのまま映像の投射を継続させるようにしてもよい。
【００２１】
また、上記の説明においては、排気口４２がプロジェクタ本体１の側部に設けられた例について説明したが。排気口４２がプロジェクタ本体１の上部に設けられている場合には、排気ガイド４３を上記の場合と同様にしてその排気口を覆うようにして収納自在にプロジェクタ本体１の上部に設けられるものとする。
【００２２】
以上のように、本実施形態においては、排気ガイド４３がプロジェクタ本体４１の側部又は上部に設けられた排気口を覆うように収納自在に設けられており、プロジェクタ本体１からの排気風をその前方に案内するようにしたので、プロジェクタ本体１からの排気風が周囲の人に当たらないようになっている。また、その構造も簡単なものとなっており、更に、排気ガイド４３はファンを備えていないので、新たな騒音源になるおそれがない。
また、電源オンキーの操作信号を入力したときに、排気ガイド４３が引き出し状態になっていると、光源１１及びファン３３，３４に駆動電圧を供給して映像の投射をさせるが、仮に、排気ガイド４３が引き出し状態になっていないと（排気ガイド４３が収納されていると）、光源１１及びファン３３，３４に駆動電圧を供給しないようにしている。このようにすることで、排気ガイド４３が収納されている状態（排気口４２を塞いでいる状態）で電源オン処理されるような事態を避けるようにしており、換言すれば、映像の投射に際して発生する熱がプロジェクタ本体１内にこもらないようにしている。
また、投射光学系１３等により映像が投射されているときに、排気ガイド検出手段３６が排気ガイド４３の収納状態を検出すると、制御部２０は表示部２８ａに警告を表示させるとともに、電源回路３５に対して光源１１及びファン３３，３４への駆動電圧の供給を停止する。このようにすることで、排気ガイド４３の収納状態を収納したことに対して警告を発するとともに、映像の投射の停止することによりプロジェクタ本体４１内にそれ以上熱が発生しないようにしている。それによりプロジェクタ本体４１内部の部品が熱により劣化しないようにしている。また、警告を発することで映像の投射の停止がプロジェクタ１の故障ではないことをユーザーに知らせることができる。
【００２３】
なお、上記の説明においては、排気ガイド４３が図３のような引き出し型の構成例について説明したが、排気風を前方の案内する構成のものであれば他の構成であってもよい。また、上記の説明においては、液晶ライトバルブ１２を用いて、光源１１から射出された光を変調したが、本発明はこれに限らず、他の空間光変調器を用いても良く、例えば、半導体基板の上に敷き詰められた微小面積のミラーの傾きを映像データに基づいて制御することによって映像を投写するＤＭＤ（Digital Micro Mirror Device：登録商標）を用いてもよい。
【図面の簡単な説明】
【００２４】
【図１】本発明の実施形態に係るプロジェクタの構成を示すブロック図。
【図２】プロジェクタの平面図。
【図３】プロジェクタの斜視図。
【図４】電源オンキーの操作を検出したときの処理を示すフローチャート。
【図５】投射中に排気ガイドの収納を検出したときの処理を示すフローチャート。
【符号の説明】
【００２５】
１１ 光源、１２ 液晶ライトバルブ、１３ 投射光学系、１４ 液晶ライトバルブ駆動部、２０ 制御部、２１ 記憶部、２２ 操作信号処理部、２３ 映像入力部、２４ 映像信号処理部、２５ 台形歪み補正処理部、２６ フォーカス制御部、２７ ズーム制御部、２８ 操作パネル、２８ａ 表示部、２９ フレームメモリ、３１ ランプ駆動部、３２ ファン駆動部、３３，３４ ファン、３５ 電源回路、４１ プロジェクタ本体、４２ 排気口、４３ 排気ガイド。
【図１】
2008122441.tif 000003
【図２】
2008122441.tif 000004
【図３】
2008122441.tif 000005
【図４】
2008122441.tif 000006
【図５】
2008122441.tif 000007